【手続補正書】
【提出日】平成20年3月18日(2008.3.18)
【手続補正１】
【補正対象書類名】明細書
【補正対象項目名】特許請求の範囲
【補正方法】変更
【補正の内容】
【特許請求の範囲】
【請求項１】
ボアホール構造に関する地震擾乱を検出する地震センサーであって、
上記ボアホール構造は、機械的に土壌構造に結合しており、
上記地震センサーは、上記地震擾乱の構造の歪応答を測定する上記ボアホール構造に結合した歪センサーを備えていることを特徴とする地震センサー。
【請求項２】
上記センサーは、歪ゲージを備えていることを特徴とする請求項１に記載の地震センサー。
【請求項３】
上記歪ゲージは、圧電性歪ゲージ、光学歪ゲージ、または容量性歪ゲージを備えていることを特徴とする請求項２に記載の地震センサー。
【請求項４】
ボアホールに関する土壌構造の地震探査を行う歪地震探査システムであって、
上記システムは、上記ボアホールに配置された結合歪地震センサーおよびボアホール構造を備えており、
上記センサーは、地震擾乱に上記ボアホール構造の歪応答に応答すると共に、さらに上記ボアホール構造の上記歪応答を示す信号を供給することを特徴とする歪地震探査システム。
【請求項５】
上記結合歪地震センサーおよびボアホール構造は、内部または表面に配置される上記歪センサーを有すると共に、上記ボアホール内のパッカー／ブラダーに関して配置されているフレキシブルキャリアフィルムを含んでいることを特徴とする請求項４に記載の地震探査システム。
【請求項６】
上記歪センサーは、上記ボアホールの軸に垂直な上記ボアホール構造のフープ歪応答を検出することを特徴とする請求項４に記載の地震探査システム。
【請求項７】
上記歪センサーは、上記ボアホールの軸に平行な上記ボアホール構造の軸歪応答を検出することを特徴とする請求項４に記載の地震探査システム。
【請求項８】
上記歪センサーは、上記ボアホールの軸に対して傾斜した上記ボアホール構造のフープ歪応答成分を検出することを特徴とする請求項４に記載の地震探査システム。
【請求項９】
上記歪センサーは、上記ボアホールの軸に対して傾斜した上記ボアホール構造の軸歪応答成分を検出することを特徴とする請求項４に記載の地震探査システム。
【請求項１０】
ボアホールに関する土壌構造の地震探査を行う歪地震探査システムであって、
光信号供給し、結合光学歪地震センサーおよびボアホール構造信号に応答し、さらに、上記結合光学歪地震センサーおよびボアホール構造信号に含まれる上記情報に基づく上記ボアホールに関する上記土壌構造についての地震歪情報を供給するための光源、検出測定器、および信号処理装置と、
上記ボアホールに配置され、上記光信号に応答し、さらに地震擾乱への上記ボアホール構造の歪応答に応答し、上記ボアホールに関する上記地震擾乱についての情報を含んでいる上記結合光学歪地震センサーおよびボアホール構造信号
結合歪地震センサーおよびボアホール構造を供給するための結合歪地震センサーおよびボアホール構造とを備えていることを特徴とする歪地震探査システム。
【請求項１１】
上記光学歪センサーは、光ファイバを備えていることを特徴とする請求項１０に記載の地震探査システム。
【請求項１２】
上記光ファイバは、その内部に配置された少なくとも１つのファイバブラッグ格子を有していることを特徴とする請求項１０に記載の地震探査システム。
【請求項１３】
上記結合光学歪地震センサーおよびボアホール構造は、内部または周囲に巻き付いた光ファイバを有していると共に、上記ボアホールに配置されている、コイルチューブまたはプロダクションチューブのいずれかを含んでいることを特徴とする請求項１０に記載の地震探査システム。
【請求項１４】
上記光ファイバは、上記ボアホールの軸に対して垂直なフープ歪ファイバループに巻き付いていることを特徴とする請求項１３に記載の地震探査システム。
【請求項１５】
上記光ファイバは、上記ボアホールの軸に対して平行な軸歪ファイバループに巻き付いていることを特徴とする請求項１３に記載の地震探査システム。
【請求項１６】
上記光ファイバは、上記ボアホールの軸に対して傾斜してフープ歪ファイバループに巻き付いていることを特徴とする請求項１３に記載の地震探査システム。
【請求項１７】
上記光ファイバは、その内部に配置された少なくとも１つのファイバブラッグ格子を有していることを特徴とする請求項１３に記載の地震探査システム。
【請求項１８】
上記結合光学歪地震センサーおよびボアホール構造は、内部または周囲に巻き付いた光ファイバを有していると共に、上記ボアホールに配置されているウェルケーシングを含んでいることを特徴とする請求項１０に記載の地震探査システム。
【請求項１９】
上記光ファイバは、上記ボアホールの軸に対して垂直なフープ歪ファイバループに巻き付いていることを特徴とする請求項１８に記載の地震探査システム。
【請求項２０】
上記光ファイバは、上記ボアホールの軸に対して平行な軸歪ファイバループに巻き付いていることを特徴とする請求項１８に記載の地震探査システム。
【請求項２１】
上記光ファイバは、上記ボアホールの軸に対して傾斜したフープ歪ファイバループに巻き付いていることを特徴とする請求項１８に記載の地震探査システム。
【請求項２２】
上記光ファイバは、その内部に配置された少なくとも１つのファイバブラッグ格子を有していることを特徴とする請求項１８に記載の地震探査システム。
【請求項２３】
ボアホールに関する土壌構造の地震探査を行う方法であって、
上記ボアホールの内部または表面に配置された歪地震センサーを有する少なくとも１つの結合歪地震センサーおよびボアホール構造を配置する工程と、
上記ボアホールに関する地震擾乱を供給する工程と、
上記ボアホールに関する上記地震擾乱についての情報を含んでいるボアホール構造歪応答信号を受信する工程と、
上記結合ボアホール構造歪応答信号に含まれている上記情報に基づく上記ボアホールに関する上記土壌構造についての地震探査情報を供給する工程とを含んでいることを特徴とする地震探査方法。
【請求項２４】
上記ボアホール内に上記少なくとも１つの結合歪地震センサーおよびボアホール構造を配置する工程は、
内部または表面に配置された上記歪地震センサーを有すると共に、上記ボアホール内のパッカー／ブラダーに対して配置されているフレキシブルキャリアフィルムを配置する工程を含んでいることを特徴とする請求項２３に記載の地震探査方法。
【請求項２５】
上記フレキシブルキャリアフィルムを配置する工程は、上記ボアホールの軸に対して垂直方向のフープに、上記歪地震センサーを配置する工程を含んでいることを特徴とする請求項２４に記載の地震探査方法。
【請求項２６】
上記フレキシブルキャリアフィルムを配置する工程は、上記ボアホールの軸に対して平行方向のフープに、上記歪地震センサーを配置する工程を含んでいることを特徴とする請求項２４に記載の地震探査方法。
【請求項２７】
上記フレキシブルキャリアフィルムを配置する工程は、上記ボアホールの軸に対して傾斜した方向のフープに、上記歪地震センサーを配置する工程を含んでいることを特徴とする請求項２４に記載の地震探査方法。
【請求項２８】
上記ボアホール内に、上記少なくとも１つの結合歪地震センサーおよびボアホール構造を配置する工程は、上記ボアホールの内部または周囲に、上記歪地震センサーを有するプロダクションチューブを配置すること含むことを特徴とする請求項２４に記載の地震探査方法。
【請求項２９】
ボアホールに関する土壌構造の地震探査を行う処理であって、
上記ボアホールの内部または表面に配置された光ファイバを有する、少なくとも１つの結合歪地震センサーおよびボアホール構造を配置する工程と、
上記光ファイバを介して光信号を供給する工程と、
上記ボアホールに関する地震擾乱を供給する工程と、
上記ボアホールに関する上記地震擾乱についての情報を含んでいる結合光学歪地震センサーおよびボアホール構造信号を受信する工程と、
上記結合光学歪地震センサーおよびボアホール構造信号に含まれている上記情報に基づく上記ボアホールに関する上記土壌構造についての地震探査情報を供給する工程とを含んでいることを特徴とする地震探査方法。
【請求項３０】
上記ボアホールに上記少なくとも１つの結合光学歪地震センサーおよびボアホール構造を配置する工程は、
内部または表面に配置された上記光ファイバを有すると共に、上記ボアホール内のパッカー／ブラダーに対して配置されているフレキシブルキャリアフィルムを配置する工程を含んでいることを特徴とする請求項２９に記載の地震探査方法。
【請求項３１】
上記フレキシブルキャリアフィルムを配置する工程は、上記ボアホールの軸に対して垂直なフープ歪ファイバに上記光ファイバを巻きつける工程を含んでいることを特徴とする請求項３０に記載の地震探査方法。
【請求項３２】
上記フレキシブルキャリアフィルムを配置する工程は、上記ボアホールの軸に対して平行な軸歪ファイバループに上記光ファイバを巻きつける工程を含んでいることを特徴とする請求項３０に記載の地震探査方法。
【請求項３３】
上記フレキシブルキャリアフィルムを配置する工程は、上記ボアホールの軸に対して傾斜したフープ歪ファイバループに上記光ファイバを巻きつける工程を含んでいることを特徴とする請求項３０に記載の地震探査方法。
【請求項３４】
上記フレキシブルキャリアフィルムを配置する工程は、内部に配置された少なくとも１つのファイバブラッグ格子を上記光ファイバに供給する工程を含んでいることを特徴とする請求項３０に記載の地震探査方法。
【請求項３５】
上記ボアホールに、上記少なくとも１つの結合光学地震センサーおよびボアホール構造を配置する工程は、上記ボアホールの内部または周囲に巻き付いた上記光ファイバを有するプロダクションチューブを配置する工程を含んでいることを特徴とする請求項２９に記載の地震探査方法。
【請求項３６】
上記プロダクションチューブを配置する工程は、上記ボアホールの軸に対して垂直なフープ歪ファイバループに上記光ファイバを巻きつける工程を含んでいることを特徴とする請求項３５に記載の地震探査方法。
【請求項３７】
上記プロダクションチューブを配置する工程は、上記ボアホールの軸に対して平行な軸歪ファイバループに上記光ファイバを巻きつける工程を含んでいることを特徴とする請求項３５に記載の地震探査方法。
【請求項３８】
上記プロダクションチューブを配置する工程は、上記ボアホールの軸に対して傾斜したフープ歪ファイバループに上記光ファイバを巻きつける工程を含んでいることを特徴とする請求項３５に記載の地震探査方法。
【請求項３９】
上記プロダクションチューブを配置する工程は、内部に配置された少なくとも１つのファイバブラッグ格子を有する上記光ファイバを供給することを特徴とする請求項３５に記載の地震探査方法。
【請求項４０】
上記ボアホールに、上記少なくとも１つの結合光学歪地震センサーおよびボアホール構造を配置する工程は、上記ボアホールに、内部または周囲に巻き付いた上記光ファイバを有するウェルケーシングを配置する工程を含んでいることを特徴とする請求項３０に記載の地震探査方法。
【請求項４１】
上記ウェルケーシングを配置する工程は、上記ボアホールの軸に対して平行なフープ歪ファイバループに上記光ファイバを巻きつける工程を含んでいることを特徴とする請求項３５に記載の地震探査方法。
【請求項４２】
上記ウェルケーシングを配置する工程は、上記ボアホールの軸に対して平行な軸歪ファイバループに上記光ファイバを巻きつける工程を含んでいることを特徴とする請求項４１に記載の地震探査方法。
【請求項４３】
上記ウェルケーシングを配置する工程は、上記ボアホールの軸に対して傾斜したフープ歪ファイバループに上記光ファイバを巻きつける工程を含んでいることを特徴とする請求項４１に記載の地震探査方法。
【請求項４４】
上記ウェルケーシングを配置する工程は、内部に配置された少なくとも１つのファイバブラッグ格子を有する上記光ファイバを供給する工程を含んでいることを特徴とする請求項４１に記載の地震探査方法。
【請求項４５】
土壌構造の擾乱を検出する地震センサーであって、
上記土壌の擾乱に応答し、フレキシブルキャリアフィルム力を供給するためのフレキシブルキャリアフィルムと、
上記フレキシブルキャリアフィルム力に応答すると共に、さらに光源に反応し、上記土壌構造の擾乱についての情報を含んでいる光学地震センサー信号を供給するための光ファイバとを備えていることを特徴とする地震センサー。
【請求項４６】
上記光ファイバは、内部にファイバブラッグ格子センサーを含んでいることを特徴とする請求項４５に記載の地震センサー。
【請求項４７】
上記光ファイバは、上記フレキシブルフィルムキャリアの縦軸に垂直なフープ歪ファイバループに巻き付いていることを特徴とする請求項４５に記載の地震センサー。
【請求項４８】
上記光ファイバは、上記フレキシブルフィルムキャリアの縦軸に平行な軸歪ファイバループに配置されることを特徴とする請求項４５に記載の地震センサー。
【請求項４９】
上記光ファイバは、上記フレキシブルキャリアフィルムの縦軸に垂直なフープ歪ファイバループに巻きついていると共に、
上記光ファイバは、上記フレキシブルキャリアフィルムの縦軸に平行な軸歪ファイバループに配置されることを特徴とする請求項４５に記載の地震センサー。
【請求項５０】
上記フレキシブルキャリアフィルムは、ゴム層を有すると共に、
上記光ファイバは、上記ゴム層に内蔵されていることを特徴とする請求項４５に記載の地震センサー。
【請求項５１】
上記フレキシブルフィルムキャリアは、蹄鉄型の膨張式ブラダー／パッカーの外層と、ウェルのボアホール内のプロダクションチューブ、ウェルケーシング、またはその両方との間に配置されたゴム層であることを特徴とする請求項４５に記載の地震センサー。